(57)【特許請求の範囲】
【請求項１】
一方の引戸１の框２に対向状態に内装された左右１対の鎌キャッチャー３，３Ａと、これらの鎌キャッチャー３，３Ａに自在に係合する鎌片４を前記框２に対向する框５内に備えた他方の引戸６とから成り、前記鎌キャッチャー３，３Ａは、鎌片４の左右をそれぞれ囲む段差状受け部１２，１２を有すると共に、バネ部材１４のバネ力に抗して回転することができるように框２に横設軸架された固定軸に軸支され、一方、鎌片４は框５に摺動自在に内装された作動部材２３の作動により回転して先端部４ａが前記段差状受け部１２，１２に係合するように框５内に固定支軸３０を介して軸支されていることを特徴とする引き違い戸の鎌錠装置。
【請求項２】
請求項１に於いて、少なくとも一方の鎌キャッチャー３（３Ａ）は、対向する内側壁部１０の下部に突起部１１を有することを特徴とする引き違い戸の鎌錠装置。
【発明の詳細な説明】
【０００１】
【発明の属する技術分野】
本発明は、引き違い戸の鎌錠装置に関する。
【０００２】
【従来の技術】
二枚の引戸を戸枠内に互い違いかつスライド自在に嵌め込んだ場合、当該引戸を通称「引き違い戸」と呼んでいる。この引き違い戸においては、左右の引戸をそれぞれ閉めてから鎌片でロックする。この場合若干の位置ズレがあっても、ロック手段である鎌片を容易に施錠及び解錠をすることができることが望ましい。また、一方の引戸の框内に組込まれた鎌片受け部材（以下、「鎌キャッチャー」という。）は、一方の引戸が左方向及び右方向へ開く場合（つまり「両方向に開くタイプの場合」）のいずれのであっても、係止機能を発揮することが出来ることが望ましい。
【０００３】
しかしながら、従来、引き違い戸の鎌錠装置は、一方の引戸が一方向（例えば左方向）にオープンする場合にしか対応することができない、という問題点を有していた。
【０００４】
【発明が解決しようとする課題】
本発明は、第１の目的は、若干の位置ズレがあっても、ロック手段である鎌片を容易に施錠することができることである。一方、引戸を完全に閉止した場合において、鎌片のロック状態を容易に解消させることができることである。第２の目的は、引戸を左右いずれの方向に開く場合であっても、係止機能を発揮させることが出来ることである。第３の目的は、鎌錠装置の取り付け作業の効率化を図ることができることである。
【０００５】
【課題を解決するための手段】
本発明の引き違い戸の鎌錠装置は、一方の引戸１の框２に対向状態に内装された左右１対の鎌キャッチャー３，３Ａと、これらの鎌キャッチャー３，３Ａに自在に係合する鎌片４を前記框２に対向する框５内に備えた他方の引戸６とから成り、前記鎌キャッチャー３，３Ａは、鎌片４の左右をそれぞれ囲む段差状受け部１２，１２を有すると共に、バネ部材１４のバネ力に抗して回転することができるように框２に横設軸架された固定軸に軸支され、一方、鎌片４は框５に摺動自在に内装された作動部材２３の作動により回転して先端部４ａが前記段差状受け部１２，１２に係合するように框５内に固定支軸３０を介して軸支されているいることを特徴とする。
【０００６】
上記構成において、少なくとも一方の鎌キャッチャー３（３Ａ）は、対向する内側壁部１０の下部に突起部１１を有することを特徴とする
ここで一方の引戸１の框２とは、框そのもののみならず、框に固定的に内装されたケース状の支持フレームも含む。
【０００７】
【発明の実施の形態】
まず、図１及び図２により本発明の実施形態の第１実施例を説明する。Ｘは引き違い戸に取り付けられた鎌錠装置で、この鎌錠装置Ｘは、外側引戸（一方の引戸の意味）１の外框２内に対向状態に設けられた左右１対の鎌キャッチャー３，３Ａと、これらの鎌キャッチャー３，３Ａに自在に係合する鎌片４を内框５に備えた内側引戸（他方の引戸の意味）６とから構成されている。
【０００８】
図１で示すように、外框２は外側引戸１の一端部に設けられた縦框であり、引戸１，６を互いに閉めた際に内框５と対向する縦板２ａの中央部或いは中央部よりの部位には、鎌片用窓７が形成されている。この鎌片用窓７の開口幅は、前記１対の鎌キャッチャー３，３Ａの係合幅を考慮してやや幅広に形成されている。なお、ここで外框２には、該框に固定的に内装されたケース状支持フレームも含まれる。
【０００９】
外框２内には、鎌片用窓７に臨んで左右１対の鎌キャッチャー３，３Ａが対称状態に設けられている。これらの鎌キャッチャー３，３Ａは、図３及び図４で示すように左右対称なので、一方の鎌キャッチャー３のみを説明し、他方の鎌キャッチャー３Ａには、便宜上同一の符合を付し、重複する説明を省略する。
【００１０】
さて、図３及び図４を参照にすると、鎌キャッチャー３は、全体として縦長のブロック片であり、下部に後述する固定軸用軸孔８を２個有する。これらの軸孔８に一つは、外框２の内壁面に対向する外側壁部９の延設下端部に形成され、もう一つは鎌キャッチャー３Ａに対向する内側壁部１０の下部に突設された突起部１１の下端部に形成されている。突起部１１は、他方の鎌キャッチャー３Ａのそれと互いに摺接し合う滑り機能及び軸受け部としての機能を有する。
【００１１】
また鎌キャッチャー３は、引戸１の開く方向向きに段差状受け部１２を有する。したがって、引戸１をオープンする際には、鎌片４は鎌キャッチャー３の段差状受け部１２に係止される。この段差状受け部１２は、図３を基準にすると、本実施例では、手前側の第１係合部１２ａと、奥側の第２係合部１２ｂに区分けすることができる。鎌片４は閉止位置に対応してこれらの係合部に選択的に係合する。
【００１２】
図４で示すように、左右１対の鎌キャッチャー３，３Ａは、外框２に横設軸架された固定軸１３に軸支され、かつ、左右の手を合わせた如く対設している。また左右１対の鎌キャッチャー３，３Ａは、前記固定軸１３にそれぞれ装着された複数のバネ部材１４，１４に個別的に付勢されている。一つのバネ部材１４は、鎌キャッチャー３Ａの外側壁部９の延設下端部と突起部１１の下端部との間に形成された空間部内に組込まれ、その一端部１４ａは鎌キャッチャー３Ａの外壁下面に、一方、他端部１４ｂは框２内の支板，固定フレーム等にそれぞれ圧接している。
【００１３】
したがって、左右１対の鎌キャッチャー３，３Ａは、バネ部材１４，１４のバネ力に抗して回転することができるように固定軸１３に軸支されている。
【００１４】
各鎌キャッチャー３，３Ａは、鎌片４の先端部４ａと係合できるように位置付けられている。ところで、左右の各鎌キャッチャー３，３Ａと鎌片４との関係を補足説明する。前述したように左右の鎌キャッチャー３，３Ａは、鎌片４を左右から協力して囲む段差状受け部１２，１２をそれぞれ有するので、本実施例では「引き違い引戸の鎌錠装置」に適合する。ここで図９と図１３を対比してその理由を説明すると、図９では外側の引戸１を矢印Ａ（開く方向）に開こうとすると、鎌片４は右側に位置する各鎌キャッチャー３に係止される。これに対し、図１３では外側の引戸１を矢印Ｂ（開く方向）に開こうとすると、鎌片４は左側に位置する各鎌キャッチャー３Ａに係止される。したがって、本実施例では外側の引戸１が一方向ではなく、両方向に開くタイプに相応しい。
【００１５】
図２には鎌片４と関係する環境部材が示されている。各環境部材については簡単に説明する。１５は外框２の鎌片用窓７と対向可能な鎌片出入り口１６を有するフロント、１７は内框５の開口部１８内に組込まれたケース状固定枠、１９は内框５に複数個の固着具２０を介して固定された内側カバー（通称、内側エスカチオン）、２１は内側カバーの内壁面に形成された切欠部２２内に組込まれた断面十字形状の操作片、２３はケース状固定枠１７に上下動自在（摺動自在の意味）に内装された枠状作動部材である。この枠状作動部材２３と操作片２１は一体的に設けられ、駆動部材としての機能を果たす。
【００１６】
なお、内側カバー（通称、内側エスカチオン）１９に操作片２１の摘み部２１ａ用案内小切欠部２５などが形成されている。また、ケース状固定枠１７にも操作片２１の案内小切欠部２６やフロント１５の鎌片出入り口１６と符合する窓状開口２７が形成されている。
【００１７】
鎌片の後端部４ｂは、ケース状固定枠１７に横設軸架された固定支軸３０に軸支され、かつ、後端部に形成されたＴ字型状の係合孔に係合する作動部材２３の作動軸３１に係止されている。
【００１８】
次に、図３及び図４は本発明の主要部材の形態を示す。前述したように左右対称の鎌キャッチャー３，３Ａは、内壁面が縦に段差形状の係合部を有するブロック体である。そして、外框２に横架された固定軸１３に左右の手を合わせた如く対向状態に軸支されかつばね部材１４で鎌片４の方向に付勢されている。
【００１９】
図５及び図６は、各鎌キャッチャー３，３Ａがバネ部材１４，１４にそれぞれ圧されて初期位置に停止し、かつ、鎌片４が非掛合状態であることを示す。この非掛合状態において、操作片２１の操作により作動部材２３が下降すると、鎌片４は固定支軸３０を中心に回転する。
【００２０】
図７及び図８は、引戸１，６を閉めた際に、引戸の位置ズレが若干あってもそれを無視し、そのまま鎌片４を係合（掛合）方向へと回した場合の状態を示している。この場合図７を基準にすると、鎌片４の先端部４ａは、右側鎌キャッチャー３の第１係合部１２ａに係合している状態を示している。
【００２１】
ここで、図９及び図１０を参照に「左右の鎌キャッチャー３，３Ａの遊び」について説明する。前述したように左右の鎌キャッチャー３，３Ａの対向する内側壁部１０の下端部には突起部１１が形成されているので、その分だけ左右の鎌キャッチャー３，３Ａの各係合部１２ａ，１２ｂと鎌片４との間には隙間（遊び）が生じる。
【００２２】
今仮に図９で示すように鎌片４の先端部４ａが左右の鎌キャッチャー３，３Ａの奥側の第２係合部１２ｂに係合しても、鎌片４の先端部４ａの右側面と右側の鎌キャッチャー３との間に若干の隙間が生じる。
【００２３】
したがって、操作片２１を操作して鎌片４のロック状態を解消させようとする場合において、引戸１を矢印Ａ方向へ若干移動させると、鎌キャッチャー３，３Ａの干渉がなくなるので、鎌片４を容易に解錠することが可能になる。
【００２４】
図１１及び図１２は、一方の鎌キャッチャー３Ａの第１係合部１２ａに鎌片４が係合した状態を示している。このように本実施例の鎌キャッチャー３，３Ａは、色々な態様で鎌片４と係合する。
【００２５】
【実施例】
第１実施例において、本実施例では、左右の鎌キャッチャー３，３Ａは、対向する内側壁部１０の下部にそれぞれ突起部１１を有するが、この突起部１１は「組合わせた左右の鎌キャッチャー３，３Ａに遊びを持たせることが狙い」であるから、左右の鎌キャッチャー３，３Ａのいずれか一方にあれば十分である。また例えば図２を基準にすると、左右の鎌キャッチャー３，３Ａは上向きであるが、これは鎌片４との係合関係を考慮したものである。したがって、鎌片４の取付け如何によって鎌片の先端部４ａが下向きに係合する場合には、当然、各鎌キャッチャー３，３Ａは下向きに軸支される。
【００２６】
また各鎌キャッチャー３，３Ａの突起部１１は互いに滑り対偶の関係にあるので、摺接面積を少なくするのが望ましいし、外側壁部９の下端部にも框の内壁面との摺接関係を考慮して前記突起部１１と同様に多少の段差乃至突起を形成するのが望ましい。
【００２７】
さらに、鎌片４は作動部材２３の上下動に追従して回転するが、前記作動部材２３は、設計如何によっては水平方向へと進退動するタイプでも良い。
【００２８】
【発明の効果】
以上の説明から明らかなように、本発明にあっては、次に列挙するような作用・効果がある。
（１）若干の位置ズレがあっても、ロック手段である鎌片を容易に施錠することができる。
（２）特に鎌キャッチャー３，３Ａは、鎌片４を左右から協力して囲む段差状受け部１２，１２をそれぞれ有するので、互い違いに戸枠をスライドする二枚の引き違い戸に適合する。
（３）操作片２１を操作して鎌片４のロック状態を解消させようとする場合において、引戸１を若干移動させると、鎌キャッチャー３，３Ａの干渉がなくなるので、鎌片４を容易に解錠することができる。
（４）鎌錠装置の取り付け作業の効率化を図ることができる
【図面の簡単な説明】
図１乃至図１３は本明の一実施例を示す各説明図。
【図１】発明の実施形態の一例を示す概略説明図。
【図２】実施形態の概略断面説明図。
【図３】主要部材の斜視からの説明図。
【図４】主要部材を一方の框内に組込んだ状態の概略断面説明図。
【図５】及び
【図６】鎌片と鎌キャッチャーとの非掛合状態を示す各説明図。
【図７】及び
【図８】鎌片と鎌キャッチャーとの掛合状態を示す各説明図。
【図９】及び
【図１０】鎌片と鎌キャッチャーの係合部との係合関係を示す各説明図。
【図１１】及び
【図１２】一つの鎌キャッチャーの第１係合部に鎌片が係合した状態を示す各説明図。
【図１３】図９と対比して本発明の実施態様の一例を示す説明図。
【符号の説明】
Ｘ…鎌錠装置、１…一方の引戸、２…外框、３，３Ａ…鎌キャッチャー、４…鎌片、４ａ…先端部、４ｂ…後端部、５…内框、６…他方の引戸、８…軸孔、９…外側壁部、１０…内側壁部、１１…突起部、１２…段差状受け部、１２ａ…第１係合部、１２ｂ…第２係合部、１３…固定軸、１４…バネ部材、１５…フロント、１６…鎌片出入り口、１７…固定枠、２１…操作片、２３…作動部材。
【図１】
0004169905.tif 000002
【図２】
0004169905.tif 000003
【図３】
0004169905.tif 000004
【図４】
0004169905.tif 000005
【図５】
0004169905.tif 000006
【図６】
0004169905.tif 000007
【図７】
0004169905.tif 000008
【図８】
0004169905.tif 000009
【図９】
0004169905.tif 000010
【図１０】
0004169905.tif 000011
【図１１】
0004169905.tif 000012
【図１２】
0004169905.tif 000013
【図１３】
0004169905.tif 000014